(57)【要約】【課題】  施行現場において施工管理者が行う精度検査における数値計算や判定にかかる時間を短縮するとともに、計算ミスを防止できる携帯端末を使用した品質管理システムを提供する。【解決手段】  本携帯端末を使用した品質管理システム１は、施工管理者の事務所に設置された事務所端末２と、施工管理者が使用し、事務所端末２と通信ネットワーク４を介して接続される携帯端末５と、事務所端末２と通信ネットワーク４を介して接続されたサーバ３とからなる品質管理システムであって、携帯端末５は、サーバ３からダウンロードされた精度検査データをＨＤに記憶し、精度検査データを表示し、精度検査データに基づいて設計値を計算し、精度検査データに基づいて実測値を入力し、入力された実測値が許容範囲内か否かを設計値に基づいて判定し、判定が許容範囲外である場合にその旨を表示し、実測値を精度検査データに保存する。【選択図】      図１
2007087073.tif 000002
【特許請求の範囲】
【請求項１】
施工管理者の事務所に設置された事務所端末と、前記施工管理者が使用し、前記事務所端末と通信ネットワークを介して接続される携帯端末と、前記事務所端末と通信ネットワークを介して接続されたサーバとからなる携帯端末を使用した品質管理システムであって、
前記事務所端末は、前記サーバに記憶された検査対象の基本情報及び該基本情報と関連する図面情報に基づいて検査対象に対する精度検査データを前記サーバ上に作成する手段と、該精度検査データを前記サーバから前記携帯端末に前記通信ネットワークを介してダウンロードする手段と、前記精度検査データを前記携帯端末から前記サーバに前記通信ネットワークを介してアップロードする手段と、を備え、
前記携帯端末は、ダウンロードされた前記精度検査データを記憶する精度検査データ記憶手段と、該精度検査データ記憶手段に記憶された前記精度検査データを表示する手段と、前記精度検査データに基づいて設計値を計算する手段と、前記精度検査データに基づいて実測値を入力する手段と、入力された実測値が許容範囲内か否かを前記設計値に基づいて判定する手段と、判定が許容範囲外である場合にその旨を表示する手段と、前記実測値を前記精度検査データ記憶手段に記憶された精度検査データに保存する手段と、を備え、
前記サーバは、予め検査対象の基本情報及び該基本情報と関連する図面情報を記憶する手段と、作成された前記精度検査データを記憶する精度検査データ記憶手段と、アップロードされた前記精度検査データを前記精度検査データ記憶手段により記憶された精度検査データに上書き保存する手段と、を備えることを特徴とする携帯端末を使用した品質管理システム。
【発明の詳細な説明】
【技術分野】
【０００１】
本発明は、施行現場において施工管理者が行う精度検査における数値計算や判定にかかる時間を短縮するとともに、計算ミスを防止できる携帯端末を使用した品質管理システムに関する。
【背景技術】
【０００２】
住宅等の建築施工現場においては、一般に、施工管理者と現場監督とにより施工の品質管理及び工程管理を行っている。品質管理においては、施工管理者は、検査チェック表を基に自主検査を行うとともに、施工したものの精度を測定し、その数値が許容範囲内にあるか否かを確認する精度検査を行う。一方、現場監督は、検査チェック表を基に重点工程検査を行う。
【０００３】
施工管理者及び現場監督は、上記の検査結果を紙ベースの所定のチェック表に記入し、現場でチェックした内容を事務所に戻ってから清書して提出書類や指示書類としており、さらに、検査結果を電子データとして保存するために業務管理用のシステムに入力しているため、作業に手間がかかるとともに煩雑であった。
【０００４】
そこで、携帯端末を使用した品質管理システムがある（例えば、特許文献１参照）。このシステムによれば、施工現場において検査場所の検査部位に対応する検査項目を通信ネットワークを介して携帯端末で受信し、検査結果を携帯端末より通信ネットワークを介して施工会社の端末や現場事務所、監理会社等の端末に送信するようにしており、チェックシートを検査場所まで持参したり、検査結果を別途書類に転記したりシステムに入力する必要がない。
【特許文献１】特開２００２−４５８０号公報
【発明の開示】
【発明が解決しようとする課題】
【０００５】
しかしながら、特許文献１のシステムを含め従来のシステムには、施工管理者が行う精度検査における数値計算や判定を行うことができるものはなく、施工管理者は、精度検査における数値計算や判定を手計算で行っており、時間がかかるとともに、計算ミスをすることも懸念されていた。
【０００６】
本発明は、上記の課題に鑑みてなされたものであり、施行現場において施工管理者が行う精度検査における数値計算や判定にかかる時間を短縮するとともに、計算ミスを防止できる携帯端末を使用した品質管理システムを提供することを目的とする。
【課題を解決するための手段】
【０００７】
上記目的を達成するために、請求項１記載の携帯端末を使用した品質管理システムは、施工管理者の事務所に設置された事務所端末と、前記施工管理者が使用し、前記事務所端末と通信ネットワークを介して接続される携帯端末と、前記事務所端末と通信ネットワークを介して接続されたサーバとからなる携帯端末を使用した品質管理システムであって、前記事務所端末は、前記サーバに記憶された検査対象の基本情報及び該基本情報と関連する図面情報に基づいて検査対象に対する精度検査データを前記サーバ上に作成する手段と、該精度検査データを前記サーバから前記携帯端末に前記通信ネットワークを介してダウンロードする手段と、前記精度検査データを前記携帯端末から前記サーバに前記通信ネットワークを介してアップロードする手段と、を備え、前記携帯端末は、ダウンロードされた前記精度検査データを記憶する精度検査データ記憶手段と、該精度検査データ記憶手段に記憶された前記精度検査データを表示する手段と、前記精度検査データに基づいて設計値を計算する手段と、前記精度検査データに基づいて実測値を入力する手段と、入力された実測値が許容範囲内か否かを前記設計値に基づいて判定する手段と、判定が許容範囲外である場合にその旨を表示する手段と、前記実測値を前記精度検査データ記憶手段に記憶された精度検査データに保存する手段と、を備え、前記サーバは、予め検査対象の基本情報及び該基本情報と関連する図面情報を記憶する手段と、作成された前記精度検査データを記憶する精度検査データ記憶手段と、アップロードされた前記精度検査データを前記精度検査データ記憶手段により記憶された精度検査データに上書き保存する手段と、を備えることを特徴としている。
なお、施工管理者とは、施工管理者に代わって施工管理者が担当する精度検査業務を行う施工者や検査員を含む。
【発明の効果】
【０００８】
本発明の請求項１の携帯端末を使用した品質管理システムによれば、事務所端末は、前記サーバに記憶された検査対象の基本情報及び該基本情報と関連する図面情報に基づいて検査対象に対する精度検査データを前記サーバ上に作成し、該精度検査データを前記サーバから前記携帯端末に前記通信ネットワークを介してダウンロードし、前記精度検査データを前記携帯端末から前記サーバに前記通信ネットワークを介してアップロードするものとして機能し、携帯端末は、ダウンロードされた前記精度検査データを記憶し、記憶された前記精度検査データを表示し、前記精度検査データに基づいて設計値を計算し、前記精度検査データに基づいて実測値を入力し、入力された実測値が許容範囲内か否かを前記設計値に基づいて判定し、判定が許容範囲外である場合にその旨を表示し、前記実測値を前記精度検査データ記憶手段に記憶された精度検査データに保存するものとして機能し、サーバは、予め検査対象の基本情報及び該基本情報と関連する図面情報を記憶し、作成された前記精度検査データを記憶し、アップロードされた前記精度検査データを記憶された精度検査データに上書き保存するものとして機能するため、施行現場において施工管理者が行う精度検査における数値計算や判定にかかる時間を短縮するとともに、計算ミスを防止できる。また、許容範囲外の実測値を入力した場合、許容範囲外の実測値である旨を表示するため、施工管理者は、入力した実測値が不合格であることを認識できる。
【発明を実施するための最良の形態】
【０００９】
以下、本発明の実施の形態に係る携帯端末を使用した品質管理システムについて図面に基づいて説明する。
図１は、本発明の実施の形態に係る携帯端末を使用した品質管理システム１の概略構成を示すものである。本携帯端末を使用した品質管理システム１は、図示するように、施工管理者の事務所に設置された事務所端末２が、サーバ３とイントラネット等のＬＡＮ（Local Area Network）である通信ネットワーク４を介して通信可能に接続されており、施工管理者が使用する携帯端末５が事務所端末２とケーブル等の通信ネットワーク４を介して通信可能に接続可能である。
【００１０】
事務所端末２は、施工管理者の事務所に設置された汎用のパーソナルコンピュータであって、制御部（ＣＰＵ：Central Processing Unit）やＲＡＭ（Random Access Memory）、ＲＯＭ（Read Only Memory）、ＨＤ（Hard Disk）、モニタ等の表示部、キーボードやマウス等の入力部等を有しており、制御部によりＲＯＭに予めインストールされたコンピュータプログラムに従って各部が制御される。この事務所端末２は、検査対象の基本情報及び該基本情報と関連する図面情報に基づいて検査対象に対する精度検査データをサーバ３上に作成し、該精度検査データをサーバ３から携帯端末５に通信ネットワーク４を介してダウンロードし、前記精度検査データを携帯端末５からサーバ３に通信ネットワーク４を介してアップロードするものとして機能する。また、サーバ３に記憶された精度検査データに基づいて精度検査報告書を自動作成するものとしても機能する。
【００１１】
ここで、検査対象の基本情報とは、邸名、住所、工事進捗状況、期間、施工管理者名、現場監督名等の情報のことである。また、図面情報とは、アンカーポイント図、及び対角・辺長図等の図面データ（情報）のことである。また、精度検査データとは、検査対象の配置確認、ＧＬ確認、天端レベル、対角長、辺長、アンカーボルト確認、基礎断面に関する精度検査のデータのことである。検査対象に対する工程項目、管理項目、検査項目、検査状況、是正事項、検査マニュアル等の情報を含むデータ（情報）のことである。
【００１２】
サーバ３は、制御部やＲＡＭ、ＲＯＭ、ＨＤ等を有するサーバであって、制御部によりＲＯＭに予めインストールされたコンピュータプログラムに従って各部が制御される。このサーバ３は、邸名、住所、工事進捗状況、期間、施工管理者名、現場監督名等の検査対象に関する基本情報を予めＨＤに記憶し、作成された精度検査データをＨＤに記憶し、携帯端末５からアップロードされた精度検査データをＨＤに記憶した精度検査データに上書き保存するものとして機能するものである。また、サーバ３は、図示しないが、図面情報及び仕様書情報を作成するためのＣＡＤシステムと相互に通信ネットワーク４を介して通信可能に接続されており、ＣＡＤシステムにおいて作成された図面情報及び仕様書情報を受信して前記基本情報と関連付けて記憶している。
【００１３】
携帯端末５は、施工管理者が使用する汎用のＰＤＡ（Personal Digital Assistant）であって、制御部やＲＡＭ、ＲＯＭ、ＨＤやＳＤカード（Secure Digital Card）等の記憶装置、タッチパネル式の液晶表示装置（ＬＣＤ：Liquid Crystal Display）からなる表示・入力部等を有しており、ダウンロードされた前記精度検査データを記憶装置に記憶し、記憶された精度検査データを表示し、精度検査データに基づいて設計値を計算し、精度検査データに基づいて実測値を入力し、入力された実測値が許容範囲内か否かを前記設計値に基づいて判定し、判定が許容範囲外である場合にその旨を表示し、実測値を記憶装置に記憶した精度検査データに保存するものとして機能する。
【００１４】
次に、本携帯端末を使用した品質管理システム１を用いて実現される精度検査方法について説明する。図２は、本精度検査方法における主要ステップを示したフローチャートである。なお、ここでは具体例として、基礎工事の精度検査を行う場合の精度検査方法について説明する。
本携帯端末を使用した精度検査方法では、施工管理者は、事務所端末２によりサーバ３に記憶された検査対象の基本情報及び該基本情報と関連する図面情報に基づいて検査対象に対する精度検査データをサーバ３上に作成し、作成した精度検査データをサーバ３から携帯端末５にダウンロードし、施工現場において該精度検査データに基づいて計測を行い、実測値を入力して精度検査データに保存し、該実測値を保存した精度検査データを携帯端末５からサーバ３にアップロードする。再度精度検査を行う場合、施工管理者は、サーバ３に記憶された精度検査データを事務所端末２によりサーバ３から携帯端末５にダウンロードする。以下、詳細に説明する。
【００１５】
まず、施工管理者は、事務所端末２によりサーバ３に記憶された検査対象に関する基本情報及び該基本情報と関連する図面情報に基づいて検査対象に対する精度検査データをサーバ３上に作成する（Ｓ１）。以下、具体的に説明する。
〔精度検査データ作成〕
まず、施工管理者は、図３に示すように、事務所端末２に表示されたメニュー画面８の「精度入力事前確認」ボタン９をクリックする。次いで、図４に示すように、表示された邸選択画面１０において、「条件指定」欄１１内の邸名、住所、工事進捗状況、期間等の各フィールドに検査対象の邸名、住所、工事進捗状況、期間等の条件を入力し、「検索」ボタン１２をクリックすると、サーバ３が記憶する邸名、住所、工事進捗状況、期間、施工管理者名、現場監督名等の検査対象に関する基本情報の中で条件に適合する基本情報が下段に表示される。表示された邸名の中から検査対象の「邸名」１３をクリックして選択すると、選択された行が青色で表示される。検査対象が、青色表示された行の「邸名」１３でよければ「確定」ボタン１４をクリックする。そして、図５に示す精度入力事前確認画面１５が表示され、表示された精度入力事前確認画面１５において、配置確認欄１６にある必須計測点の設計値及び残値寸法の設計値と、ＧＬ＝ＢＭ高さ１７を入力する。また、一般基礎の断面寸法は、デフォルトで入力されているが、変更することもできる。また、検査対象に特殊基礎がある場合は、基礎断面、屋上歩行、種類をそれぞれプルダウンメニューに表示されるものから選択すると、特殊基礎の断面寸法が自動入力され表示される。また、図面情報に書き込みを行う場合は、図面種類欄のプルダウンメニュー１８からアンカーポイント図、又は対角・辺長図を選択し、「図面編集」ボタン１９をクリックすると、選択した図面に書き込むことができる。入力後、「確定」ボタン２０をクリックすると、精度検査データの作成が終了し、図３に示すメニュー画面８に戻る。サーバ３は作成された精度検査データをＨＤに保存する。
【００１６】
精度検査データの作成後、施工管理者は、該精度検査データを事務所端末２によりサーバ３から携帯端末５にダウンロードする（Ｓ２）。携帯端末５は、ダウンロードされた精度検査データを記憶装置に記憶する。そして、施工管理者は、アンカーポイント図、及び対角・辺長図を印刷し、施工現場においてそれらの図面を参照しながら計測を行い、携帯端末５により実測値を入力して、記憶装置に記憶した精度検査データに検査結果を保存する（Ｓ３）。以下、具体的に説明する。
〔邸名・検査選択〕
まず、施工管理者は、図６に示すように、携帯端末５により表示された検査スタート画面２１において、「邸名選択」ボタン２２をスタイラスペンや指等でタップする。タップ後、図７に示すように、邸選択画面２３が表示され、この邸選択画面２３には、ダウンロードした検査データに含まれる邸名の一覧が表示され、施工管理者は、検査対象である邸名２４をタップする。邸名選択後、検査スタート画面２１に戻るが、該検査スタート画面２１には選択した邸名２４が反映されている。次いで、検査スタート画面２１において、「検査選択」ボタン２５をタップすると、図８に示す検査選択画面２６が表示される。この検査選択画面２６には、ダウンロードした精度検査データに含まれる、選択した邸名２４に対応する検査の一覧が表示されており、施工管理者は、これから行う精度検査名２７をタップして選択する。
【００１７】
検査選択後、図９（ａ）に示すように、精度検査内容一覧画面２８が表示されるが、該精度検査内容一覧画面２８には、選択した邸名２４及び精度検査名２７が反映されており、既に１回以上の実測値の入力を行っている場合は、検査回数、精度入力日が表示され、また、図９（ｂ）に示すダイヤログ２９が表示される。ここで、再入力する場合は、「はい」ボタン３０をタップし、前回の続きを入力する場合は、「いいえ」ボタン３１をタップする。また、図９（ａ）に示す精度検査内容一覧画面２８には、本システム１で精度検査を行うことができる、配置確認、ＧＬ確認、天端レベル、対角長、辺長、アンカーボルト確認、基礎断面の７つの検査内容が表示されている。以下、それぞれの検査内容における精度検査を具体的に説明する。
〔配置確認〕
施工管理者が、図９（ａ）に示す精度検査内容一覧画面２８において、「１．配置確認」をタップすると、図１０に示すように、配置確認画面３２が表示され、配置図の確認を促すダイヤログ３３が表示される。このダイヤログ３３の「はい」ボタン３４をタップすると、実測値の入力をすることになるが、この携帯端末５におけるすべての実測値の数値入力は、図１１に示す数値入力画面３５により入力する。また、この数値入力画面３５から数値入力して実測値を入力した後、図１２に示すように、「確定」ボタン３６をタップすると、保存ダイヤログ３７が表示される。なお、同様に、７つの検査内容の各メイン画面の「確定」ボタン３６をタップすると、この保存ダイヤログ３７が表示される。ここで、「完了」ボタン３８をタップすると、入力した実測値を記憶装置に記憶された精度検査データに保存して検査完了状態となる。また、「継続」ボタン３９をタップすると、入力した実測値を精度検査データに保存して検査継続状態となる。また、「破棄」ボタン４０をタップすると、入力した実測値を破棄し、「キャンセル」ボタン４１をタップすると、「確定」ボタン３６をタップする前の状態に戻る。また、７つの検査内容の各メイン画面の「戻る」ボタン４２をタップすると、図９（ａ）に示す精度検査内容一覧画面２８に戻る。また、各メイン画面の「←」ボタン４３、「→」ボタン４４をタップすると、前後の検査内容のメイン画面を表示する。
【００１８】
施工管理者は、図１０に示すダイヤログ３３の「はい」ボタン３４をタップした後、図１３に示す配置確認画面３２において、計測した実測値を「実測値」フィールドに入力する。なお、この配置確認画面３２の「設計値」フィールドには、事務所端末２により入力した必須計測点の設計値が表示されている。実測値を入力すると、設計値と実測値の差が携帯端末５により自動計算されて「差」フィールドに表示される。ここで、入力された実績値が許容範囲外である場合、携帯端末５は、色を変えてその旨を表示する。また、施工管理者が配置確認画面３２において「残値寸法」ボタン４５をタップすると、図１４に示すように、残値寸法確認画面４６が表示される。この残値寸法確認画面４６の「設計値」フィールドには、事務所端末２により入力した残値寸法の設計値が表示されており、施工管理者が「実測値」フィールドに計測した実測値を入力すると、「差」フィールドに設計値と実測値の差が表示される。ここで、入力された実績値が許容範囲外である場合、携帯端末５は、色を変えてその旨を表示する。施工管理者は、残値を確認したら、「残値確認ＯＫ」チェックボックス４７をタップし、「確定」ボタン３６をタップして、実測値を精度検査データに保存する。
【００１９】
次に、ＧＬ確認を説明する。
〔ＧＬ確認〕
施工管理者が、図９（ａ）に示す精度検査内容一覧画面２８において、「２．ＧＬ確認」をタップすると、図１５に示すように、ＧＬ確認画面４８が表示される。このＧＬ確認画面４８の「ＧＬ＝ＢＭ」フィールドには、事務所端末２により入力したＧＬ＝ＢＭ高さ１７が表示されている。施工管理者が「ベンチマーク」フィールド及び「基礎天端」フィールドに実測値を入力すると、「設定ＧＬ誤差」フィールドに設定ＧＬの誤差が表示され、この誤差が許容範囲外である場合は、携帯端末５は、色を変えてその旨を表示する。施工管理者は、「確定」ボタン３６をタップして、実測値を精度検査データに保存する。
【００２０】
次に、天端レベルを説明する。
〔天端レベル〕
施工管理者が、図９（ａ）に示す精度検査内容一覧画面２８において、「３．天端レベル」をタップすると、図１６に示すように、天端レベル画面４９が表示される。この天端レベル画面４９には、アンカーポイント図の基礎アンカーポイントにふった番号が表示されており、施工管理者は、アンカーポイント図の番号にしたがって、基礎アンカーポイントの天端レベルを計測し、実測値を入力する。携帯端末５は、隣差を自動計算し、許容範囲外である場合は、色を変えてその旨を表示する。また、現場でアンカーポイントを追加する場合は、施工管理者は、「ポイント追加」ボタン５０をタップすると、図１７に示すように、アンカーポイント追加画面５１が表示され、このアンカーポイント追加画面５１において、「直前ポイント」フィールドに追加したいアンカーポイントの区間の若い番号を入力することによりアンカーポイントを追加できる。さらに、「図面指示」ボタン５２をタップすると、図１８に示すように、図面５３が表示され、この図面５３に追加ポイントを入力できる。天端レベルの実測値の入力後、施工管理者は、「確定」ボタン３６をタップして、実測値を精度検査データに保存する。
【００２１】
次に、対角長を説明する。
〔対角長〕
施工管理者が、図９（ａ）に示す精度検査内容一覧画面２８において、「４．対角長」をタップすると、図１９に示すように、対角長画面５４が表示される。この対角長画面５４には、対角・辺長図の基礎出隅、入隅、袖壁端点等にふったアルファベットが最長のものから３箇所表示されており、「設計値」フィールドの値は、携帯端末５が精度検査データに含まれる図面情報から自動計算した値が表示されている。施工管理者は、対角・辺長図のアルファベットにしたがって、対角長を計測し、「実測値」フィールドに実測値を入力する。携帯端末５は、設計値と実測値の差を自動計算し、「差」フィールドに表示するが、許容範囲外である場合は、色を変えてその旨を表示する。対角長の実測値の入力後、施工管理者は、「確定」ボタン３６をタップして、実測値を精度検査データに保存する。
【００２２】
次に、辺長を説明する。
〔辺長〕
施工管理者が、図９（ａ）に示す精度検査内容一覧画面２８において、「５．辺長」をタップすると、図２０に示すように、辺長画面５５が表示される。この辺長画面５５には、対角長画面５４と同様に、対角・辺長図の基礎出隅、入隅、袖壁端点等にふったアルファベットが表示されており、「設計値」フィールドの値は、携帯端末５が精度検査データに含まれる図面情報から自動計算した値が表示されている。施工管理者は、対角・辺長図のアルファベットにしたがって、辺長を計測し、「実測値」フィールドに実測値を入力する。携帯端末５は、設計値と実測値の差を自動計算し、「差」フィールドに表示するが、許容範囲外である場合は、色を変えてその旨を表示する。辺長の実測値の入力後、施工管理者は、「確定」ボタン３６をタップして、実測値を精度検査データに保存する。
【００２３】
次に、アンカーボルト確認を説明する。
〔アンカーボルト確認〕
施工管理者が、図９（ａ）に示す精度検査内容一覧画面２８において、「６．アンカーボルト確認」をタップすると、図２１に示すように、アンカーボルト確認画面５６が表示される。施工管理者は、アンカーボルトの通り精度、位置、首の出を計測・検査し、通り精度の最大誤差、修正本数、位置の修正本数、追加本数、首の出が基準外の本数を入力する。入力後、施工管理者は、「確定」ボタン３６をタップして、それぞれの値を精度検査データに保存する。
【００２４】
次に、断面確認を説明する。
〔断面確認〕
施工管理者が、図９（ａ）に示す精度検査内容一覧画面２８において、「７．断面確認」をタップすると、図２２に示すように、断面確認画面５７が表示される。施工管理者は、基礎断面寸法を計測し、実測値を入力する。携帯端末５は、設計値と実測値の差を自動計算し表示するが、許容範囲外である場合は、色を変えてその旨を表示する。また、この断面確認画面５７の「位置」フィールドに表示された「●」５８をタップすると、図２３に示す図面５９上に基礎断面の測定場所を入力できる。また、検査対象に特殊基礎がある場合は、「特殊基礎」ボタン６０をタップすると、図２４に示すように、特殊断面確認画面６１が表示される。施工管理者は、特殊基礎の断面寸法を計測し、実測値を入力する。携帯端末５は、設計値と実測値の差を自動計算し表示するが、許容範囲外である場合は、色を変えてその旨を表示する。基礎断面寸法の実測値の入力後、施工管理者は、「確定」ボタン３６をタップして、実測値を精度検査データに保存する。
【００２５】
以上７つの検査内容のいずれか１つ、又は複数の精度検査を行った施工管理者は、図９（ａ）に示す精度検査内容一覧画面２８において、「終了」ボタン６２をタップして、図６に示す検査スタート画面２１に戻る。なお、７つの検査内容の精度検査を全て完了した場合は、図９（ａ）に示す精度検査内容一覧画面２８において、「検査完了入力」ボタン６３をタップすると、精度検査の完了となる。施工管理者は、図６に示す検査スタート画面２１の「終了」ボタン６４をタップし、事務所に戻って事務所端末２により実測値を保存した精度検査データを携帯端末５からサーバ３にアップロードする（Ｓ４）。サーバ３は、この事務所端末２からアップロードされた精度検査データをＨＤに記憶した精度検査データに上書き保存して記憶する（Ｓ５）。このように、サーバ３に精度検査データを蓄積することにより、全社的な品質管理における精度検査に関するデータを蓄積できる。
【００２６】
そして、施工管理者は、検査対象の精度検査が全て終了していない場合（Ｓ６：ＮＯ）、検査が終了するまでＳ２以降のステップを行う。なお、事務所端末２は、図示しないプリンタと接続されており、施工管理者は、適宜事務所端末２により精度検査データに基づく精度報告書をプリンタに出力して記録用紙に印刷できる。
【００２７】
以上の説明より明らかなように、本携帯端末を使用した品質管理システム１によれば、施行現場において施工管理者が行う精度検査における数値計算や判定にかかる時間を短縮するとともに、計算ミスを防止できる。また、許容範囲外の実測値を入力した場合、許容範囲外の実測値である旨を表示するため、施工管理者は、入力した実測値が不合格であることを認識できる。また、精度報告書を精度検査データを基に自動作成したり、自動作成した精度報告書をプリンタから印刷できる。さらに、本携帯端末を使用した品質管理システム１を利用することにより、全社的な品質管理における精度検査に関するデータを蓄積できるため、データの集計・分析が容易となり、分析結果を基に品質管理において適正な改善活動を行うことができる。したがって、本携帯端末を使用した品質管理システム１により、継続的改善活動を業務に展開でき、より一層の品質向上が可能となる。
【００２８】
なお、本発明は上記実施形態に限定されるものではなく、本発明の要旨の範囲内で種々の変形実施が可能である。例えば、本実施の形態では、携帯端末５は、ＰＤＡとしているが、上記の機能を果たすことができるものであれば、小型のＰＣ、携帯電話等であってもよい。また、上記実施形態では、基礎工事における精度検査について説明しているが、外装工事や木工事等における精度検査を行うことも可能である。
【産業上の利用可能性】
【００２９】
本発明は、施行現場において精度検査を行う場合に利用可能である。
【図面の簡単な説明】
【００３０】
【図１】本発明の実施の形態に係る携帯端末を使用した品質管理システムの構成例を示すブロック図である。
【図２】携帯端末を使用した品質管理システムを用いた精度検査方法の主要ステップを示すフローチャートである。
【図３】事務所端末に表示されたメニュー画面を示す図である。
【図４】事務所端末に表示された邸選択画面を示す図である。
【図５】事務所端末に表示された精度事前入力確認画面を示す図である。
【図６】携帯端末に表示された検査スタート画面を示す図である。
【図７】携帯端末に表示された邸選択画面を示す図である。
【図８】携帯端末に表示された検査選択画面を示す図である。
【図９】携帯端末に表示された精度検査内容一覧画面を示す図である。
【図１０】携帯端末に表示された配置確認画面を示す図である。
【図１１】携帯端末に表示された数値入力画面を示す図である。
【図１２】事務所端末に表示された配置確認画面を示す図である。
【図１３】携帯端末に表示された配置確認画面を示す図である。
【図１４】携帯端末に表示された残値寸法確認画面を示す図である。
【図１５】携帯端末に表示されたＧＬ確認画面を示す図である。
【図１６】携帯端末に表示された天端レベル画面を示す図である。
【図１７】携帯端末に表示されたアンカーポイント追加画面を示す図である。
【図１８】携帯端末に表示された図面を示す図である。
【図１９】携帯端末に表示された対角長画面を示す図である。
【図２０】携帯端末に表示された辺長画面を示す図である。
【図２１】携帯端末に表示されたアンカーボルト確認画面を示す図である。
【図２２】携帯端末に表示された断面確認画面を示す図である。
【図２３】携帯端末に表示された図面を示す図である。
【図２４】携帯端末に表示された特殊断面確認画面を示す図である。
【符号の説明】
【００３１】
１    携帯端末を使用した品質管理システム
２    事務所端末
３    サーバ
４    通信ネットワーク
５    携帯端末
【図１】
2007087073.tif 000003
【図２】
2007087073.tif 000004
【図３】
2007087073.tif 000005
【図４】
2007087073.tif 000006
【図５】
2007087073.tif 000007
【図６】
2007087073.tif 000008
【図７】
2007087073.tif 000009
【図８】
2007087073.tif 000010
【図９】
2007087073.tif 000011
【図１０】
2007087073.tif 000012
【図１１】
2007087073.tif 000013
【図１２】
2007087073.tif 000014
【図１３】
2007087073.tif 000015
【図１４】
2007087073.tif 000016
【図１５】
2007087073.tif 000017
【図１６】
2007087073.tif 000018
【図１７】
2007087073.tif 000019
【図１８】
2007087073.tif 000020
【図１９】
2007087073.tif 000021
【図２０】
2007087073.tif 000022
【図２１】
2007087073.tif 000023
【図２２】
2007087073.tif 000024
【図２３】
2007087073.tif 000025
【図２４】
2007087073.tif 000026